(57)【要約】      （修正有）【課題】  紙片に外力が作用した場合であっても容易に紙片が破れてしまう危険性がなく、且つ、極めて安価に製造することができ、さらには、破損する危険性も有効に防止することができる新規な紙片バインダー用リングを提供する。【解決手段】  紙片５、６に形成された開口５ａ（６ａ）５ｂ（６ｂ）に挿通され側面形状が○字状（略楕円）に成形された複数のリング部材２、３は、端部が係止される凹部と凸部を有する、備えた紙片バインダー用リング２、３であって、上記リング部材２、３は、樹脂により一体成形され、各リング部材２、３の軸方向に幅を有してなるとともに、対向する端部と端部とが互いに離間する方向に弾性変形可能となされ、上記リング部材２、３の端部と端部とが互いに離間する方向に形成されてなる。【選択図】図１
2008062636.tif 000002
【特許請求の範囲】
【請求項１】
紙片に形成された開口に挿通され、側面形状がＯ字状（略楕円）に成形された部材の端部が係止される凹部と凸部を有すると、を備えた紙片バインダー用リングである。
上記リング部材は、樹脂により一体成形され、各リング部材の軸方向に幅を有してなるとともに、対向する端部と端部とが互いに離間する方向に弾性変形可能となされる。
上記リング部材の端部と端部とが互いに凹部と凸部で形成され、この傾斜面の延長線上に上記凹部と凸部が形成されてなることを特徴とするリングである。
【請求項２】
凹部の中央には融合部が形成されてなるとともに、前記リング部材の各端部の中央には、この融合部が融合する凹部と凸部が形成されてなる。
【請求項３】
前記請求項１又は２記載の紙片バインダー用リングと、板紙が折曲されることにより側面形状が略三角形状となされてなるとともに、前記リング部材が挿通された開口を有する台紙と、上記リング部材が挿通された開口が形成され、上記台紙の正面側又は裏面側の何れかに選択的に位置するとともに正面又は裏面の少なくとも何れかにカレンダー情報が印刷されてなる複数の紙片と、を備えてなることを特徴とする卓上カレンダー。
【請求項４】
前記請求項１又は２記載の紙片バインダー用リングと、折曲されることにより側面形状が略三角形状となされるとともに、前記リング部材が挿通される開口が形成された台紙と、上記リング部材が挿通される開口が形成され正面一方（両面印刷することも可能）にカレンダー情報、住所情報、電話情報、イーメールアドレス情報等の情報が印刷される印刷面又は記録面とされてなる複数の紙片と、を備えてなることを特徴とする捲り式卓上帳セット。
【発明の詳細な説明】
【技術分野】
【０００１】  本発明は、例えば、カレンダー情報が印刷された紙片等を台紙とともに連結させて、指で捲ることができる紙片バインダー用リング及びこの紙片バインダー用リングを用いた、卓上カレンダー並びに捲り式卓上帳に関するものである。
【背景技術】
【０００２】  従来、紙片バインダー用リングとしては、例えば、バインダー式のノートに用いられているものがある。この紙片バインダー用リングは、紙片に形成された多数の穴に挿通されるとともに開閉可能な多数のリング部材とから概略構成され、両端側に形成された開閉孔の操作により、上記リング部材が開閉されるものや、使用者の手指により各リング部材を開閉操作するものが市販されている。
【発明の開示】
【発明が解決しようとする課題】
【０００３】  しかしながら、上述した従来の紙片バインダー用リングでは、各リング部材の断面が円形状であるために、紙片に外力が作用することにより各開口位置から各紙片が破れてしまう場合が多く、このため、多数のリング部材を構成要素としなければならない。また、従来の紙片バインダー用リング、とりわけ両端側に形成された開閉孔を備えた紙片バインダー用リングでは、金属を素材としたものであるとともに構成が複雑であることから、コスト高を避けられない。また、樹脂を素材とした従来の紙片バインダー用リングにおいても、多数のリング部材は、それぞれ基準側において回動軸により回動可能に連結され、これら多数のリング部材が同時に開閉操作可能となるよう多数のリング部材は連結部材により連結されていることから、やはり製造コストが高く、また、破損する危険性も高い。【０００４】  そこで、本発明は、上述した従来の紙片バインダー用リングが有する課題を解決するために提案されたものであって、紙片に外力が作用した場合であっても容易に紙片が破れてしまう危険性がなく、且つ、極めて安価に製造（機械を使用すること無く）することができ、さらには、破損する危険性も有効に防止することができる新規の紙片用バインダーを提供することを目的とするものである。
【課題を解決するための手段】
【０００５】  本発明は、上述した目的を達成するために提案されたものであり、本発明（請求項１記載の発明）は、紙片バインダー用リングに係るものであって、紙片に形成された開口に挿通され側面形状がＯ字状（略楕円）に成形された２ヶのリング部材の端部が係止される開口を有し、備えた紙片バインダー用リングであって、上記リング部材は、樹脂により一体成形され、各リング部材の軸方向に幅を有してなるとともに、対向する端部と端部とが互いに離間する方向に弾性変形可能となされ、上記リング部材の端部と端部とが互いに離間する方向にガイドする傾斜面が形成され、この傾斜面の延長線上に上記凹部と凸部が形成されてなることを特徴とするものである。【０００６】  上記第１の発明において、リング部材の形状は、側面形状が○字状（略楕円）に成形されている必要がある、本発明を構成するリング部材は、一端と他端とが対向するよう成形されていると言っても良い。また、このリング部材は、樹脂により一体成形され、各リング部材の軸方向に幅を有していることが必要であり、この幅は、縦約１０ｍｍ横１４ｍｍの楕円とされていることが望ましい。紙片の厚みや、各紙片に形成された開口と端部との距離にもよるが、１０ｍｍよりも短い場合には、紙片に外力が作用した場合に破れて紙片が脱落する危険性があり、一方１４ｍｍを超える場合には、各リング部材の素材や厚みにもよるが、以下に説明するように、リングを装着する際や取り外す際に、操作者に大きな力を要求する必要がある。なお、このリング部材によりバインドされる紙片は全て形状が同一である場合が多く、バインドされた多数の紙片が不規則な状態となることを避けるためには、各紙片に形成された開口の大きさ及び位置が統一されることは当然であるが、リング部材の素材が硬質であることも要求される。リング部材が軟質の素材からなる場合には、脱落し易いからである。したがって、リング部材の素材は、例えば、ポリエチレンテレフクレート（ＰＥＴ）、ポリカーボネート、ポリスチレン、ポリプロピレン等の硬質樹脂とするべきであるが、他方、以下に説明するように、リング部材の素材は、装着時及び取外し時において、各リング部材の端部と端部とが離間するよう或る程度の弾性変形がされるべきことも考慮される必要がある。したがって、こうした観点からすれば、上記リング部材の幅は、縦１０ｍｍ横１４ｍｍの略楕円がより望ましい。【０００７】  また、この発明に係る紙片バインダー用リングは、紙片に形成された開口に上記リング部材を挿通し、この状態で、リングの両面に形成された凹部と凸部の端部を係止させること、により装着される。このリング部材の装着時においては、各リング部材の端部と端部とがそのまま凹部と凸部を接触させ形成された方向に押圧することにより、各リング部材の端部と端部とが互いに離間するよう弾性変形させられ、さらに押圧することにより、上記凹部内に他方の端部が収まる。一方、リング部材を取外す際には、リング部材の端部と端部とが離間するように手指で広げることにより行なう事が出来る。【００８】  また、第２の発明（請求項３記載の発明）は、卓上カレンダーに係るものであって、前記請求項１又は２記載の紙片バインダー用リングと、���紙（厚紙）が折曲されることにより側面形状が略三角形状となされてなるとともに前記リング部材が挿通された開口を有する台紙と、上記リング部材が挿通された開口が形成され上記台紙の正面側に選択的に位置する正面にカレンダー情報が印刷されてなる複数の紙片と、を備えてなることを特徴とするものである。【００９】  なお、この第３の発明に係る卓上カレンダーは、台紙と共に日付や曜日等のカレンダー情報が印刷された複数の紙片が、前記紙片バインダー用リングによりバインドされたものであり、台紙の正面側から裏面側に捲ることにより、単数又は複数の日、もしくは月を代えることができるものである。すなわち、一枚の紙片に印刷されたカレンダー情報は、日捲りのように一目の情報や一ヶ月の情報ばかりではなく、例えば、一週間の情報や数ヶ月の情報であっても良い。【００１０】  また、第３の発明（請求項４記載の発明）は、捲り式卓上帳セットに係るものであって、前記請求項１又は２記載の紙片バインダー用リングと、折曲されることにより側面形状が略三角形状となされるとともに前記リング部材が挿通される開口が形成された台紙と、上記リング部材が挿通される開口が形成され正面にカレンダー情報、住所情報、電話情報、イーメールアドレス情報等の情報が印刷される印刷面又は記録面とされてなる複数の紙片と、を備えてなることを特徴とするものである。【００１１】  なお、この捲り式卓上帳セットを構成する複数の紙片は、正面（裏面にも印刷可能）にカレンダー情報、住所情報、電話情報、イーメールアドレス情報等の情報が印刷される印刷面又は記録面とされてなることが必要であり、このように例示した情報ばかりではなく、氏名、季語、季節に応じた、もよおし事又は祭事情報等、使用者により任意の情報を印刷する印刷面を、有するものであれば良い。また、この捲り式卓上帳セットを構成する紙片の印刷面である場合において、各印刷面への印刷は、パーソナルコンピュータに接続された市販のプリンターを利用しても良い。したがって、市販のプリンターを利用することを考慮すると、この捲り式卓上帳セットを構成する紙片は、市販のプリンターの仕様（性能）の範囲におけるサイズ、厚みに成形されていることが好ましい。
【発明の効果】
【００１２】  上記第１の発明（請求項１記載の発明）では、リング部材は、樹脂により一体成形され、各リング部材の軸方向に幅を有してなるとともに、対向する端部と端部とが互いに離間する方向に弾性変形可能となされてなることから、従来の紙片バインダー用リングに比べて、安価に製造（機械を使用すること無く）することができるばかりではなく、紙片に外力が作用した場合であっても各紙片が破れてしまう危険性を有効に防止することができ、また、破損する危険性も有効に防止することができる。さらに、この第１の発明では、上記リング部材の端部と端部とが互いに離間する方向に凹部と凸部が形成され、リング部材を簡単に装着することができる。【００１３】  また、上記第２の発明（請求項３記載の発明）によれば、上記第１又は第２の発明に係る紙片バインダー用リングにより、カレンダー情報が印刷されてなる複数の紙片も、一旦、各紙片用バインダーによりバインダーした後においても取外すことが可能となるため、すでにバインドした紙片を他の紙片と交換することができるばかりではなく、通常のプリンターを利用して、上記紙片に対してさらに新たな情報を追加して印刷することができる。すなわち、図５に示すように、従来の卓上カレンダー１００では、台紙１０１とカレンダー情報が印刷された多数の紙片１０２とこれら台紙１０１及び紙片１０２とをバインダーするバインダー１０３とから構成されているが、上記バインダー１０３は、特殊な装置により装着されるものであり、一且その装置により装着されると、後に台紙１０１も紙片１０２も取外すことは不可能であり、このため、台紙１０１に納入先や取引先の社名や連絡先等の情報を追加印刷する場合には、スクリーン印刷による以外に方法はなく、印刷精度が落ちるばかりか、コストの上昇も避けられない。この第３の発明に係る卓上カレンダーによれば、量産した後においても、各紙片に対して、通常のプリンターを利用して簡単に追加印刷することが可能となる。【００１４】  また、第３の発明（請求項４記載の発明）によれば、使用者が自ら自由に考える情報を各紙片に印刷し、又は記録して使用することができる。特に、近年においては、パーソナルコンピュータ及びソフトウェアーが普及していることから、これまでのように、各種の情報を手書きによることなく、各家庭や職場において、簡単に印刷することができることから、この第４の発明によれば、短時間で極めて鮮明に且つ、思い通りの用途の捲り式卓上帳を作成することができる。
【発明を実施するための最良の形態】
【００１５】  以下、本発明を実施するための最良の形態を、図面を参照しながら詳細に説明する。先ず、本発明に係る紙片用バインダーを利用した卓上カレンダーに付いて詳細に説明する。【００１６】  この実施の形態に係る卓上カレンダー１は、図１に示すように、紙片用バインダーリング２、３と、台紙４とが印刷された多数の紙片５、６とから構成されている。上記紙片バインダー用リング部材２、３とから構成され、ＰＰ（ポリプロピレン）により一体成形されてなるものであって、後でのべる一方のリング部材２ａとリング部材２ｂの互いに対向する一端及び他端の中央に形成された融合凹部と凸部に融合して形成され、また、後でのべる他方のリング部材３ａとリング部材３ｂの互いに対向する、一端及び他端の中央に形成された融合凹部と凸部に融合する事により形成されている。【００１７】  また、上記一方及び他方のリング部材２、３は、それぞれ同一の形状からなるものであり、ポリエチレン樹脂により一体成形されてなるものであって、側面形状はＯ字状（略楕円）に成形されている。融合図部２ａ、２ｂ、（３ａ、３ｂ）が形成されている。そして、上記融合間部２ａ、２ｂには、挿入係止される係止部２ｃ、２ｄ、２ｅ、２ｆ、（３ｃ、３ｄ、３ｅ、３ｆ）が形成されている。なお、これら一方及び他方のリング部材２、３は、幅が、約１４ｍｍの楕円となされ、使用者の手指により、各、端部が互いに離間する方向に弾性変形可能とされている。【００１８】  また、上記台紙４は、図１に示すように、長方形状の板紙（厚紙）がそれぞれ平行となされた第１ないし、第３の折曲部４ａ、４ｂ、４ｃにより折曲され、一端と他端とが略同一位置となるように折曲成形されてなるものであり、側面形状はやや三角形状に成形されている。そして、この台紙４の一端側と図示しない他端側には、それぞれ上記一方のリング部材２又は他方のリング部材３が挿通される長方形状の開口４ａ、４ｄが形成されている。
台紙４は板紙（厚紙）を使用して、バインダー及びカレンダーを三角状で安定させる為上記には印刷をしない。【００１９】  また、上記多数の紙片５は、前述した通り、それぞれ正面に（裏面に印刷する事も可能）カレンダー情報が印刷されてなる長方形状の紙片であり、長方形状となされた台紙４の正面４ｆや背面４ｇの面積より下が２０ｍｍ狭い面積に成形され、上記紙片バインダー用リング２、３により上記台紙４と共にバインドされた際、特に強調したいのは紙片６が他の紙片５より下が２０ｍｍ広く、台紙４と同じ大きさであり、紙片５の１番下に位置して紙片５より露出する部分（２０ｍｍ）があるように成形されていることである。このスペースは、卓上カレンダー１を納入する相手先の会社名や商品名連絡先等の情報を印刷することができる適度のスペースであって、１部バインダー及びカレンダーにおいて、紙片５すべてに印刷をしなくても紙片６のみに印刷をすれば１年を通して上記にのべた相手先の会社名や商品名連絡等を見る事が出来る。また、これらの紙片５、紙片６の上端側の左右には、上記台紙４に形成された各開ロ４ｄ、４ｅに対応した位置であって、同一形状となされた開口５ａ、５ｂ（６ａ、６ｂ）がそれぞれ形成されている。【００２０】  なお、図１に示すように、分解された各パーツ（符号は省略する。）を組み付け、卓上カレンダー１として完成させる場合には、先ず、上記多数の紙片５（６）に形成された開口５ａ（６ａ）、５ｂ（６ｂ）に上記一方又は他方のリング部材２、３を挿通するとともに、上記台紙４に形成された各開口４ｄ、４ｅに挿通し、上記一方又は他方のリング部材２、３の端部と端部とが、各一方又は他方のリング部材２、３を押圧する。すると、これら一方又は他方のリング部材２、３の端部と端部とは、やがて、図３に示すように、各一方又は他方のリング部材２（３）に形成された係止部２ａ、２ｂが、一方又は他方のリング部材に形成された融合凹部と凸部２ｃ、２ｄ、（３ｃ、３ｄ）に融合される。【００２１】  したがって、上述した卓上カレンダー１によれば、多数の紙片５、６は、上述した紙片バインダー用リング２、３によりバインダーされていることから、一且組み付けた後においても、容易に取外し、プリンターにより簡単に追加印刷することができる。また、この卓上カレンダー１を構成する紙片バインダー用リング２、３は、一方及び他方のリング部材２、３から構成されていることから、従来の紙片用バインダーに比べて安価に製造する（機械を使用しない）ことができるばかりではなく、これら一方及び他方のリング部材２、３は、軸方向に幅を有してなることから、上述したカレンダー情報が記載された多数の紙片５、６に外力が作用した場合であっても簡単に破れてしまうことを有効に防止することができる。【００２２】  次に、上述した紙片用バインダーリング２、３を構成要素とした捲り式卓上帳セット１に付いて図面を参照しながら簡単に説明する。【００２３】  この捲り式卓上帳セット１は、図４に示すように、紙片バインダー用リング２、３と、台紙４と、多数の紙片５、６とから構成されてなるものであり、図示しない袋又はケースに収容されてなるものである。上記紙片バインダー用リング２、３は、前��卓上カレンダー１を構成する紙片バインダー用リング２、３と同様の構成からなり、二つのリング部材２、３となることから、詳細な説明は省略する。また、上記台紙４は、両端側には、上記リング部材２、３が挿通される開口４ａ、４ｂ、４ｃ、４ｄが形成されている。また、この台紙４には、折曲することにより前述したように、側面形状が略三角形状に成形できるように、折曲部（スジ入）４ｅ、４ｆ、４ｇが形成されている。【００２４】  また、上記紙片５、６も、上記卓上カレンダー１を構成する紙片５、６と基本的には同一の構成からなり、上端側の左右両側には、上記リング部材２、３が挿通される開口５ａ、５ｂ（６ａ、６ｂ）がそれぞれ形成されている。なお、これらの各紙片５、６は、本実施の形態においては、葉書と同じサイズに切断されてなるものであり、特に印刷されている必要は無い。すなわち、これら各紙片５、６は、正面に印刷面又は記録面とされてなるものであり（裏面に印刷する事も可能である）、市販のパーソナルコンピュータ及びプリンターを利用して、使用者が任意の情報を任意のレイアウトにより印刷し、または、印刷した後に筆記具により記録することができるものである。したがって、印刷する情報の種類や用途は、使用者により決定されるものであり、上記紙片５、６に印刷される情報が、例えば、カレンダー情報であれば、前述した（捲り式）卓上カレンダー１と略同様のものとなり、また、印刷される情報が、氏名、住所、電話番号等のような名簿であれば、捲り式卓上名簿等となる。なお、これらのパーツ（符号は省略する。）を組み付ける方法や取外す方法に関しては、前述した卓上カレンダー１と同様であることから説明を省略する。【００２５】  なお、上述した各実施の形態で説明した紙片用バインダーでは、全て２ヶのリング部材を装着するものであるが、本発明に係る紙片用バインダーリングを用いた卓上カレンダー並びに捲り式卓上帳は、３ヶ又は４ヶのリング部材が構成要素とされているものであっても良い。
【図面の簡単な説明】
【００２６】
【図１】  発明の実施の形態に係る卓上カレンダーを示す分解斜視図である。
【図２】  紙片用バインダーを批大して示す分解斜視図である。
【図３】  卓上カレンダーの要領を拡大して示す側断面図である。
【図４】  捲り式卓上帳セットを示す斜視図である。
【図５】  従来の卓上カレンダーの要知を示す斜視図である。
【符号の説明】
【００２７】１  卓上カレンダー
２  紙片用バインダー一方のリング部材
３  紙片用バインダー他方のリング部材
４  台紙（板紙〈厚紙〉）
５  紙片
６  紙片（紙片５より天地が２０ｍｍ長い）
２ａ、２ｂ  融合凹部
２ｃ、２ｆ  係止部
３ａ、３ｂ  融合凹部
３ｃ、３ｆ  係止部
【図１】
2008062636.tif 000003
【図２】
2008062636.tif 000004
【図３】
2008062636.tif 000005
【図４】
2008062636.tif 000006
【図５】
2008062636.tif 000007